(57)【要約】【課題】機器側の印刷配線板に対して自動実装でリフロー処理できる扁平形振動モータの提供。【解決手段】このモータは支軸１３を持ち給電用フレキシブル基板３０を搭載するステータ板１１と偏心錘２４を持ち支軸１３に対し回転自在に支持されたロータ２０を備える。フレキシブル基板３０は、ステータ板１１の下面に支軸１３を中心として重なる下面側基板部３１と、ステータ板１１の上面に重なる上面側基板部３２と、ステータ板１１の外周の切り欠き１１ｂで下面側基板部３１と上面側基板部３２とを一体的に折り曲げて連結する幅狭状連結部３３を有する。下面側基板部３１は中心給電固着用パターン３１ａと幅狭状連結部３３側を除き中心給電固着用パターン３１ａを同心環状に取り囲んだ外周給電固着用パターン３１ｂとを有する。上面側基板部３２は半田盛りＭを充填してランド３２ｆとステータ板１１とを固着接続するスルーホールｈを有する。【選択図】      図４
2009303443.tif 000002
【特許請求の範囲】
【請求項１】
支軸を持ち給電用フレキシブル基板を搭載する金属製のステータ板と、偏心錘を持ち前記支軸に対し回転自在に支持されたロータとを備える扁平形振動モータにおいて、
前記給電用フレキシブル基板は、前記ステータ板の下面に前記支軸を中心として重なる下面側基板部と、前記ステータ板の上面に重なる上面側基板部と、前記ステータ板の外周の切り欠きで前記下面側基板部と前記上面側基板部とを一体的に折り曲げて連結する幅狭状連結部とを有し、前記上面側基板部は半田盛りを充填して上面側配線パターンと前記ステータ板とを固着接続するスルーホールを有し、前記下面側基板部は給電固着用パターンを有することを特徴とする扁平形振動モータ。
【請求項２】
請求項１に記載の扁平形振動モータにおいて、前記ステータ板は、前記下面に前記下面側基板部を収める凹部とこの凹部を取り囲む固着用外周部とを有することを特徴とする扁平形振動モータ。
【請求項３】
請求項１又は請求項２に記載の扁平形振動モータにおいて、前記給電固着用パターンは、中心給電固着用パターンと幅狭状連結部側を除き前記中心給電固着用パターンを取り囲んだ外周給電固着用パターンとを有して成ることを特徴とする扁平形振動モータ。
【請求項４】
請求項３に記載の扁平形振動モータにおいて、前記下面側基板部の外周縁と前記固着用外周部の内周縁との間に半田溜まり溝が形成されていることを特徴とする扁平形振動モータ。
【発明の詳細な説明】
【技術分野】
【０００１】
本発明は、ブラシレスモータなどを用いて構成した所謂コイン形の扁平形振動モータに関する。
【背景技術】
【０００２】
特開平１０−２６２３５２の扁平形振動モータにおいては、ステータ板（底板）の上面側に給電用フレキシブル基板を接着し、ステータ板の一部から耳状に張り出た端子受け部で給電用フレキシブル基板の給電電極部を折り曲げて端子受け部の裏面に接着した給電構造が示されている。
【特許文献１】特開平１０−２６２３５２（図２）
【発明の開示】
【発明が解決しようとする課題】
【０００３】
上記の給電構造にあっては以下のような問題点がある。第１に、給電電極部は端子受け部を包むように上面と下面と側面との３方で露出しているものの、固着面積が少ないため、機器側の印刷配線基板に対して自動実装でリフローソルダリングする場合には適用できない。第２に、端子受け部が耳状に張り出たステータ板を用いねばならず、機器側の印刷配線基板の占有面積を無駄消費している。
【０００４】
そこで上記問題点に鑑み、本発明の第１の課題は、機器側の印刷配線基板に対して自動実装でリフローソルダリングできる扁平形振動モータを提供することにある。本発明の第２の課題は、機器側の印刷配線基板の占有面積を節約できる扁平形振動モータを提供することにある。
【課題を解決するための手段】
【０００５】
本発明は、支軸を持ち給電用フレキシブル基板を搭載する金属製のステータ板と、偏心錘を持ち支軸に対し回転自在に支持されたロータとを備える扁平形振動モータにおいて、給電用フレキシブル基板は、ステータ板の下面に支軸を中心として重なる下面側基板部と、ステータ板の上面に重なる上面側基板部と、ステータ板の外周の切り欠きで下面側基板部と上面側基板部とを一体的に折り曲げて連結する幅狭状連結部とを有し、上面側基板部は半田盛りを充填して上面側配線パターンとステータ板とを固着接続するスルーホールを有し、下面側基板部は給電固着用パターンを有することを特徴とする。
【０００６】
一枚の給電用フレキシブル基板がステータ板の下面に支軸を中心として重なる下面側基板部を有し、下面側基板部は給電固着用パターンを有し、またステータ板の上面に重なる上面側基板部は半田盛りを充填して上面側配線パターンとステータ板とを固着接続するスルーホールを有しているため、下面側基板部の給電固着用パターンのみならず、ステータ板の下面の一部を給電固着領域として利用でき、十分な固着面積を確保でき、リフローソルダリングに適した扁平形振動モータを提供できる。また、ステータ板では耳状の張り出し部分が不要になることから、機器側の印刷配線基板の占有面積を節約できる。更に、上面側基板部は半田盛りを充填して上面側配線パターンとステータ板とを固着接続するスルーホールを有し、ステータ板の下面の一部が単なる固着領域ではなく、給電固着領域となるので、例えばモータ駆動停止の制動端子などを増やすことができる。
【０００７】
ステータ板としては、その下面に下面側基板部を収める凹部とこの凹部を取り囲む固着用外周部とを有することが望ましい。ステータ板の固着用外周部を半田盛りで接続した上記給電固着領域とすることができる。
【０００８】
下面側基板部の給電固着用パターンが、中心給電固着用パターンと幅狭状連結部側を除き中心給電固着用パターンを取り囲んだ外周給電固着用パターンとを有して成る場合、同様のパターンを機器側の印刷配線板に形成することにより、自動実装でリフローソルダリングする場合、位置決め時の誤差を吸収できる。
【０００９】
下面側基板部の外周縁と固着用外周部の内周縁との間に半田溜まり溝が形成されている場合、リフローソルダリング時の過剰な半田をこの半田溜まり溝内に収めることができ、しかも、固着強度を高めることができる。
【発明の効果】
【００１０】
本発明によれば、機器側の印刷配線基板に対して自動実装でリフローソルダリングでき、しかも機器側の印刷配線基板の占有面積を節約できる。
【発明を実施するための最良の形態】
【００１１】
次に、本発明の一実施形態を添付図面に基づいて説明する。図１（Ａ）は本発明の実施例に係る扁平形振動モータを示す平面図、図１（Ｂ）は図１（Ａ）のＢ−Ｂ′線に沿って切断した断面図、図２は同扁平形振動モータに用いる給電用フレキシブル基板を示す平面図、図３（Ａ）は同扁平形振動モータの底面図、図３（Ｂ）は同扁平形振動モータのステータ板を示す底面図、図４は同扁平形振動モータにおけるステータの断面図である。
【００１２】
本例の扁平形（コイン形）振動モータはステータ１０とロータ２０とから成るブラシレスモータである。ステータ１０は、金属製円形のステータ板（ベースプレートないし底板）１１と、このステータ板１１の中央孔１１ａに一端を嵌めて溶接した支軸（固定軸）１３と、この支軸１３に嵌めたワッシャー１２と、ステータ板１１の上面に重ね合せて熱溶着した給電用フレキシブル基板３０と、このフレキシブル基板３０の上に搭載された回転位置検出用ホール素子を含むスイッチング用集積回路１４及びコンデンサ１５と、給電用フレキシブル基板３０上に配置された２個の励磁用の扁平形空芯コイル１６，１６と、ステータ板１１が嵌合して中央孔１７ａに支軸１３の他端が圧入する金属製浅カップ状のカバー１７を有する。
【００１３】
ロータ２０は、軸受ホルダー部２３ａのメタル軸受２１を介して支軸１３に回転自在に支持され、扁平形空芯コイル１６，１６と面対向する環状６極の永久磁石２２を下側に持つロータ板２３と、このロータ板２３の外周側に設けられた弧状の偏心錘２４とを有する。
【００１４】
給電用フレキシブル基板３０は片面導電層基板で、図２に示す如く、ステータ板１１の下面に中央孔１１ａを中心として重なる円板状の下面側基板部３１と、ステータ板１１の上面に重なる円板状の上面側基板部３２と、ステータ板１１の外周の切り欠き１１ｂ（図３（Ｂ）参照）で下面側基板部３１と上面側基板部３２とを一体的に折り曲げて連結する幅狭状連結部３３とを有する。この下面側基板部３１は、円形の中心給電固着用パターン３１ａと幅狭状連結部３３側を除き中心給電固着用パターン３１ａを同心環状（Ｃ字状）に取り囲んだ外周給電固着用パターン３１ｂとを有している。中心給電固着用パターン３１ａから引き出された給電配線Ｌ１と外周給電固着用パターン３１ｂの一端から引き出された給電配線Ｌ２とが幅狭状連結部３３の上を通過し、上面側基板部３２でワッシャー１２に嵌る中央孔３２ａと幅狭状連結部３３側との間に位置するスイッチング用集積回路１４の端子固着用パターン（図示せず）まで導かれている。この端子固着用パターンからは第１の扁平形空芯コイル１６（図２では不図示）の一方のコイル端末固着用パターン３２ｂに繋がる給電配線Ｌ３と第２の扁平形空芯コイル１６（図２では不図示）の一方のコイル端末固着用パターン３２ｃに繋がる給電配線Ｌ４が引き出されており、また、第１の扁平形空芯コイル１６（図２では不図示）の他方のコイル端末固着用パターン３２ｄと第２の扁平形空芯コイル１６（図２では不図示）の他方のコイル端末固着用パターン３２ｅとを繋げる給電配線Ｌ５が形成されている。そして、上面側基板部３２はスルーホールｈを持つランド３２ｆから出た給電配線Ｌ６を有し、この給電配線Ｌ６はスイッチング用集積回路１４の端子固着用パターン（図示せず）まで導かれている。
【００１５】
ステータ板１１は鉄製などの磁性板をプレス成形したものであり、その下面（底面）側は固着用外周部１１ｃの内領域に下面側基板部３１が固着用外周部１１ｃと面一に重なるように基板厚みだけ窪ませた円形凹部１１ｄとなっており、円形凹部１１ｄから切り欠き１１ｂにかけても幅狭状連結部３３を収めるため、円形凹部１１ｄと面一の狭窄凹所１１ｅとなっている。下面側基板部３１は円形凹部１１ｄ内の面に熱溶着で重ね合わされており、図３（Ａ）に示す如く、下面側基板部３１の外周縁と固着用外周部１１ｃの内周縁との間には半田溜まり溝Ｓが形成されている。そして、図４に示す如く、上面側基板部３２のランド３２ｆのスルーホールｈ内に半田を充填して半田盛りＭが形成されており、ランド３２ｆとステータ板１１とが固着接続している。
【００１６】
図３（Ｂ）に示す如く、円形凹部１１ｄの領域内においては、中央孔１１ａを中心として等距離で１２０°間隔ごとにコギング発生用丸孔１１ｆが形成されている。また、固着用外周部１１ｃは、カバー１７の下端を受けて噛み合うための弧状張出片１１ｇを有している。
【００１７】
このように、本例においては、一枚の給電用フレキシブル基板３０がステータ板１１の下面に支軸１３を中心として重なる下面側基板部３１を有し、この下面側基板部３１はスイッチング用集積回路１４に駆動用給電圧と駆動停止時逆転用の制動給電圧を印加するため中心給電固着用パターン３１ａと外周給電固着用パターン３１ｂとを有し、また上面側基板部３２は半田盛りＭを充填してランド３２ｆとステータ板１１とを固着接続するスルーホールｈを有しているため、ステータ板１１の固着用外周部１１ｃを給電固着領域として利用でき、十分な固着面積を確保でき、リフローソルダリングに適した扁平形振動モータを提供できる。また、ステータ板１１では耳状の張り出し部分が不要になることから、機器側の印刷配線基板の占有面積を節約できる。更に、固着用外周部１１ｃはＧＮＤ用として用いることができ、中心給電固着用パターン３１ａと外周給電固着用パターン３１ｂとのいずれか一方をモータ駆動停止時逆転用の制動端子とすることができ、３端子ブラシレスモータにより、駆動停止時のイナーシャーを抑え、振動の瞬時停止を図ることができる。
【００１８】
そして、中心給電固着用パターン３１ａと外周給電固着用パターン３１ｂとの蛇の目形パターンを機器側の印刷配線板に形成することにより、自動実装でリフローソルダリングする場合、位置決め時の誤差を吸収できる。また、下面側基板部３１の外周縁と固着用外周部１１ｃの内周縁との間には半田溜まり溝Ｓが形成されているため、リフローソルダリング時の過剰な半田をこの半田溜まり溝Ｓ内に収めることができ、しかも、固着強度を高めることができる。
【図面の簡単な説明】
【００１９】
【図１】（Ａ）は本発明の実施例に係る扁平形振動モータを示す平面図、（Ｂ）は（Ａ）のＢ−Ｂ′線に沿って切断した断面図である。
【図２】同扁平形振動モータに用いる給電用フレキシブル基板を示す平面図である。
【図３】（Ａ）は同扁平形振動モータの底面図、（Ｂ）は同扁平形振動モータのステータ板を示す底面図である。
【図４】同扁平形振動モータにおけるステータの断面図である。
【符号の説明】
【００２０】
１０…ステータ
１１…ステータ板
１１ａ，１７ａ，３２ａ…中央孔
１１ｂ…切り欠き
１１ｃ…固着用外周部
１１ｄ…円形凹部
１１ｅ…狭窄凹所
１１ｆ…コギング発生用丸孔
１１ｇ…弧状張出片
１２…軸固定用ワッシャー
１３…支軸
１４…スイッチング用集積回路
１５…コンデンサ
１６…扁平形空芯コイル
１７…カバー
２０…ロータ
２１…メタル軸受
２２…永久磁石
２３…ロータ板
２３ａ…軸受ホルダー部
２４…偏心錘
３０…給電用フレキシブル基板
３１…下面側基板部
３１ａ…中心給電固着用パターン
３１ｂ…外周給電固着用パターン
３２…上面側基板部
３２ｂ〜３２ｅ…コイル端末固着用パターン
３２ｆ…ランド
３３…幅狭状連結部
ｈ…スルーホール
Ｍ…半田盛り
Ｌ１〜Ｌ６…給電配線
Ｓ…半田溜まり溝
【図１】
2009303443.tif 000003
【図２】
2009303443.tif 000004
【図３】
2009303443.tif 000005
【図４】
2009303443.tif 000006